(57)【要約】【課題】デジタル放送の受信地域および視聴者の視聴態様を考慮して、消費電力を節約することができる受信機を提供する。【解決手段】本発明のデジタルテレビ１は、アナログ放送とデジタル放送との異なる放送方式による放送波をそれぞれ受信する。デジタルテレビ１は、デジタル放送の放送波を通じてデータを取得するデータ取得・更新指示部７６、デジタルチューナ１３によるデジタル放送の受信実績の有無を示す選局履歴情報８１および入力切替先情報８２を記録する記録部７２と、これらの情報に基づき、デジタル放送の受信の有無を判定するデータ取得判定部７４とを備え、データ取得判定部７４がデジタル放送の受信が有ると判定した場合、データ取得・更新指示部７６はデジタル放送の放送波を通じて配信されるデータを取得する。【選択図】図１
2010252173.tif 000002
【特許請求の範囲】
【請求項１】
アナログ放送とデジタル放送との異なる放送方式による放送波をそれぞれ受信する受信機であって、
上記デジタル放送の放送波を通じて配信されるデータを取得するための取得手段と、
上記デジタル放送を受信するためのデジタルチューナによる該デジタル放送の受信実績の有無を示す受信実績情報を記録する記録手段と、
上記記録手段によって記録された上記受信実績情報に基づき、上記デジタル放送の受信の有無を判定する判定手段とを備え、
上記判定手段が上記デジタル放送の受信が有ると判定した場合、上記取得手段は該デジタル放送の放送波を通じて配信されるデータを取得することを特徴とする受信機。
【請求項２】
当該受信機の稼動停止を指示する停止指示を受信する指示受信手段を備え、
上記指示受信手段が上記停止指示を受信した場合、上記判定手段が、デジタル放送の受信の有無を判定することを特徴とする請求項１に記載の受信機。
【請求項３】
上記記録手段は、上記受信実績情報として、上記デジタルチューナにより選局されたチャンネルの履歴を示す履歴情報と、当該受信機が存在する地点において上記デジタルチューナにより放送波を受信可能とするチャンネルの有無を調査した結果である調査結果情報とを記録しており、
上記判定手段は、上記記録手段によって記録された上記履歴情報および上記調査結果情報に基づき、上記デジタルチューナによりチャンネルが選局された履歴があり、かつ上記デジタルチューナにより放送波を受信可能とするチャンネルが存在する場合に、当該受信機においてデジタル放送の受信が有ると判定することを特徴とする請求項２に記載の受信機。
【請求項４】
上記記録手段は、上記受信実績情報として、放送波を受信するために上記デジタルチューナが選択されているか否かを示す情報であるチューナ情報をさらに記録しており、
上記判定手段は、上記チューナ情報に基づき、上記指示受信手段により上記停止指示を受信した時点において上記デジタルチューナが選択されていないと判定した場合、上記履歴情報および上記調査結果情報に基づき、デジタル放送の受信の有無を判定することを特徴とする請求項３に記載の受信機。
【請求項５】
上記記録手段は、上記受信実績情報として、放送波を受信するためにデジタルチューナが選択されている否かを示す情報であるチューナ情報を記録しており、
上記判定手段は、上記指示受信手段により上記停止指示を受信した時点における上記記録手段によって記録された上記チューナ情報に基づき、デジタル放送の受信の有無を判定することを特徴とする請求項２に記載の受信機。
【請求項６】
アナログ放送とデジタル放送との異なる放送方式による放送波をそれぞれ受信する受信機の制御方法であって、
上記デジタル放送の放送波を通じて配信されるデータを取得するための取得ステップと、
上記デジタル放送を受信するためのデジタルチューナによる該デジタル放送の受信実績の有無を示す受信実績情報を記録する記録ステップと、
上記記録ステップにおいて記録された上記受信実績情報に基づき、デジタル放送の受信の有無を判定する判定ステップとを含み、
上記判定ステップにおいて、上記デジタル放送の受信が有ると判定された場合、上記取得ステップでは該デジタル放送の放送波を通じて配信されるデータを取得することを特徴とする受信機の制御方法。
【発明の詳細な説明】
【技術分野】
【０００１】
本発明は、アナログ放送とデジタル放送との異なる放送方式による放送波をそれぞれ受信する受信機に関する。
【背景技術】
【０００２】
従来、テレビ番組などの放送サービスをアナログ放送により提供してきたが、近年では、放送方式がデジタル化された、いわゆるデジタル放送により放送サービスの提供が行われるようになってきている。このように、デジタル放送により放送サービスが提供されるようになることで、視聴者は、高品質な映像や多様な情報等、新たなサービスを享受できるようになってきている。
【０００３】
例えば、上述した新たなサービスとして、電子番組ガイド（ＥＰＧ：Electronic Program Guide）の配信がある。放送波を通じて、この電子番組ガイドをテレビが受信すると、テレビの画面上に番組表を表示したり、該番組表の中から特定の番組を選択することで録画予約を指示したりすることができる。また、テレビの有する機能をバージョンアップさせるためのソフトウェアを放送波により提供することもできるようになっている。
【０００４】
テレビ側においても、このような新たなサービスに対応するために、上記電子番組ガイドを受信し、表示するための番組情報表示機能、および上記ソフトウェアを受信し、更新するためのソフトウェア更新機能が搭載されている。特に、ソフトウェア更新機能の搭載に関しては、欧州やアジア地域において運用規格が定められており、現在、イギリス、および北欧地域での運用が決定され、実施されている。わが国においても、衛星ダウンロード機能の搭載がＡＲＩＢ規格において義務付けられている。
【０００５】
ところで、ソフトウェアや、番組ガイド等のデータを更新するためには、テレビは、受信している全てのサービスおよびチャンネルをサーチし、ダウンロードの必要性を判断した上で取得したデータのデコードを行う必要がある。また、このデータの更新は、ユーザのデジタル放送の視聴を妨げないようにするために、例えば、テレビの電源がＯＦＦの状態にあるときに行われるように構成されている。
【０００６】
上述のような放送波を介してデータのダウンロードを行う従来技術としては、特許文献１に開示された放送受信装置、および特許文献２に開示された受信機等が挙げられる。
【０００７】
具体的には、特許文献１には、受信状態が安定しているときに、ダウンロードデータを取得し、電源スタンバイまたは電源ＯＦＦ時にプログラムを更新する放送受信装置が開示されている。
【０００８】
また、特許文献２には、電源ＯＦＦ後の自動番組情報取得時に決定した選局優先順位にしたがって番組情報を取得する受信機が開示されている。
【先行技術文献】
【特許文献】
【０００９】
【特許文献１】特開２００６−４１９７７号公報（２００６年２月９日公開）
【特許文献２】特開２００５−５１６１５号公報（２００５年２月２４日公開）
【発明の概要】
【発明が解決しようとする課題】
【００１０】
しかしながら、上述のような従来技術は、放送信号の受信地域および視聴者の視聴態様を考慮して、デジタル放送の受信機能を有する受信機の消費電力を節約することができないという問題がある。
【００１１】
すなわち、地域によっては、アナログ放送のみ受信が可能であり、デジタル放送を受信できない地域がある。また、デジタル放送とアナログ放送との両方の放送方式により放送番組を視聴できる地域において、視聴者がアナログ放送の放送番組のみ視聴する場合も想定できる。つまり、欧州および日本のようにデジタル放送の運用が開始されている地域であっても、従来からアナログ放送を中心に視聴している視聴者の中には、全くデジタル放送を視聴しないものもいる。
【００１２】
ところで、このように、デジタル放送を受信できない地域、あるいは視聴者が全くデジタル放送を視聴しない場合であっても、テレビ等の受信機がデジタル放送に対応したものであるときは、電源ＯＦＦ時に、放送波を介して送信されるデータの取得処理を実行してしまう。
【００１３】
上記データの取得処理の実行には、この取得に関わる、受信機が備える各部ならびにＣＰＵに対して電力を供給する必要があり、電源ＯＦＦ状態にも関わらず余分な電力を消費してしまう。このため、受信機の電源ＯＦＦ時には、デジタル放送を視聴しない場合であってもこの余分な電力消費が発生してしまうことになる。
【００１４】
本発明は、上記の問題点に鑑みてなされたものであり、その目的は、デジタル放送の受信地域および視聴者の視聴態様を考慮して、消費電力を節約することができる受信機、および受信機の制御方法を実現することにある。
【課題を解決するための手段】
【００１５】
本発明に係る受信機は、上記した課題を解決するために、アナログ放送とデジタル放送との異なる放送方式による放送波をそれぞれ受信する受信機であって、上記デジタル放送の放送波を通じて配信されるデータを取得するための取得手段と、上記デジタル放送を受信するためのデジタルチューナによる該デジタル放送の受信実績の有無を示す受信実績情報を記録する記録手段と、上記記録手段によって記録された上記受信実績情報に基づき、上記デジタル放送の受信の有無を判定する判定手段とを備え、上記判定手段が上記デジタル放送の受信が有ると判定した場合、上記取得手段は該デジタル放送の放送波を通じて配信されるデータを取得することを特徴とする。
【００１６】
上記デジタル放送の放送波を通じて配信されるデータとは、例えば、ＥＰＧデータ、受信機が保持するプログラムの更新用データ等が挙げられる。
【００１７】
上記した構成によると、記録手段を備えているためデジタル放送を受信するためのデジタルチューナによる該デジタル放送の受信実績の有無を記録することができる。また、判定手段を備えるため、上記受信実績情報から受信機において今までにデジタル放送を受信したか否か判定することができる。また、判定手段により受信機においてデジタル放送を受信したと判定された場合、上記取得手段がデジタル放送の放送波を通じて配信されるデータを取得することができる。
【００１８】
したがって、受信機がデジタル放送の放送波を受信できない地域にある、あるいは、視聴者がデジタル放送を視聴しない場合など、デジタルチューナによるデジタル放送の受信実績がない場合には、上記取得手段は、デジタル放送の放送波を通じて配信されるデータを取得しない。このため、本発明に係る受信機は、無駄な消費電力が発生することを抑えることができる。
【００１９】
よって、本発明に係る受信機は、デジタル放送の受信地域および視聴者の視聴態様を考慮して、消費電力を節約することができるという効果を奏する。
【００２０】
本発明に係る受信機は、上記した構成において、当該受信機の稼動停止を指示する停止指示を受信する指示受信手段を備え、上記指示受信手段が上記停止指示を受信した場合、上記判定手段が、デジタル放送の受信の有無を判定するように構成されていてもよい。
【００２１】
上記した構成によると、上記指示受信手段が上記停止指示を受信した場合に、上記判定手段が、デジタル放送の受信の有無を判定する。このため、上記指示受信手段が上記停止指示を受信した場合に、上記取得手段は上記デジタル放送の放送波を通じて配信されるデータを取得することができる。
【００２２】
このように、少なくともデジタル放送を受信している間に、デジタル放送の放送波を通じて配信されるデータを取得することがないため、該データの取得によりデジタル放送の受信を妨げることを防ぐことができる。
【００２３】
本発明に係る受信機は、上記した構成において、上記記録手段は、上記受信実績情報として、上記デジタルチューナにより選局されたチャンネルの履歴を示す履歴情報と、当該受信機が存在する地点において上記デジタルチューナにより放送波を受信可能とするチャンネルの有無を調査した結果である調査結果情報とを記録しており、
上記判定手段は、上記記録手段によって記録された上記履歴情報および上記調査結果情報に基づき、上記デジタルチューナによりチャンネルが選局された履歴があり、かつ上記デジタルチューナにより放送波を受信可能とするチャンネルが存在する場合に、当該受信機においてデジタル放送の受信が有ると判定するように構成されていてもよい。
【００２４】
上記した構成によると、上記記録手段を備えているため、上記デジタルチューナにより選局されたチャンネルの履歴を示す履歴情報およびチャンネルの有無を調査した結果を示す調査結果情報を記録することができる。
【００２５】
それゆえ、判定手段は、デジタルチューナにより、今まで特定のチャンネルが選局されたことがあるか否かとともに、当該受信機が存在する地点において受信可能なチャンネルがあるか否かを確認することができる。そして、上記判定手段は、上記デジタルチューナによりチャンネルが選局された履歴があり、かつ上記デジタルチューナにより放送波を受信可能とするチャンネルが存在する場合に、当該受信機においてデジタル放送の受信が有ると判定する。
【００２６】
つまり、上記判定手段は、デジタルチューナにより受信可能な放送波のチャンネルが存在する環境下において、このデジタルチューナにより特定のチャンネルが選局された履歴がある場合に、当該受信機においてデジタル放送の受信があると判定する。
【００２７】
このため、本発明に係る受信機では、デジタル放送の受信の有無を確度よく判定することができる。
【００２８】
それゆえ、本発明に係る受信機は、デジタル放送の受信を行わない場合にまで、上記データを取得する処理を実行しようとすることを確実に防ぐことができ、無駄な消費電力が発生することを抑えることができる。
【００２９】
また、本発明に係る受信機は、上記した構成において、上記記録手段は、上記受信実績情報として、放送波を受信するために上記デジタルチューナが選択されているか否かを示す情報であるチューナ情報をさらに記録しており、上記判定手段は、上記チューナ情報に基づき、上記指示受信手段により上記停止指示を受信した時点において上記デジタルチューナが選択されていないと判定した場合、上記履歴情報および上記調査結果情報に基づき、デジタル放送の受信の有無を判定するように構成されていてもよい。
【００３０】
上記した構成によると、指示受信手段により上記停止指示を受信した時点において上記デジタルチューナが選択されていないと判定した場合、上記判定手段が、上記履歴情報および上記調査結果情報に基づき、デジタル放送の受信の有無を判定するように構成されている。このため、停止指示を受信した時点において、デジタルチューナが選択されていない場合であっても、上記停止指示を受信する以前にデジタル放送の放送波を受信したか否か判定することができる。
【００３１】
このため、本発明に係る受信機では、デジタル放送の受信の有無を確度よく判定することができる。
【００３２】
それゆえ、本発明に係る受信機は、デジタル放送の受信を行わない場合にまで、上記データを取得する処理を実行しようとすることを確実に防ぐことができ、無駄な消費電力が発生することを抑えることができる。
【００３３】
本発明に係る受信機は、上記した構成において、上記記録手段は、上記受信実績情報として、放送波を受信するためにデジタルチューナが選択されている否かを示す情報であるチューナ情報を記録しており、上記判定手段は、上記指示受信手段により上記停止指示を受信した時点における上記記録手段によって記録された上記チューナ情報に基づき、デジタル放送の受信の有無を判定するように構成されていてもよい。
【００３４】
上記した構成によると、上記記録手段により、停止指示を受信した時点で選択されているチューナがデジタル放送を受信するためのものであるのか、またはアナログ放送を受信するためのものであるのかについて記録することができる。
【００３５】
したがって、判定手段は、停止指示を受信した時点において、当該受信機において、デジタル放送の受信を行っていたのか、あるいはアナログ放送の受信を行っていたのかについて把握することができる。つまり、放送波の受信を停止した際に、視聴者がデジタル放送を視聴していたのか、アナログ放送を視聴していたのか把握することができる。
【００３６】
このため、停止指示を受信した時点において、デジタル放送の受信を行っていた場合、すなわち、視聴者がデジタル放送を視聴する場合に、上記取得手段が、デジタル放送の放送波を通じて配信されるデータを取得する。
【００３７】
それゆえ、本発明に係る受信機は、デジタル放送の受信を行わない場合にまで、上記データを取得する処理を実行しようとすることを防ぐことができ、無駄な消費電力が発生することを抑えることができる。
【００３８】
本発明に係る受信機の制御方法は、上記した課題を解決するために、アナログ放送とデジタル放送との異なる放送方式による放送波をそれぞれ受信する受信機の制御方法であって、上記デジタル放送の放送波を通じて配信されるデータを取得するための取得ステップと、上記デジタル放送を受信するためのデジタルチューナによる該デジタル放送の受信実績の有無を示す受信実績情報を記録する記録ステップとを含み、上記記録ステップにおいて記録された上記受信実績情報に基づき、デジタル放送の受信の有無を判定する判定ステップと、上記判定ステップにおいて、上記デジタル放送の受信が有ると判定された場合、上記取得ステップでは該デジタル放送の放送波を通じて配信されるデータを取得することを特徴とする。
【００３９】
上記した方法によると、記録ステップを含むためデジタル放送を受信するためのデジタルチューナによる該デジタル放送の受信実績の有無を記録することができる。また、判定ステップを含むため、上記受信実績情報から受信機において今までにデジタル放送を受信したか否か判定することができる。また、判定ステップで、受信機においてデジタル放送を受信したと判定された場合、上記取得ステップにおいて、デジタル放送の放送波を通じて配信されるデータを取得することができる。
【００４０】
したがって、受信機がデジタル放送の放送波を受信できない地域にある、あるいは、視聴者がデジタル放送を視聴しない場合など、デジタルチューナによるデジタル放送の受信実績がない場合には、上記取得ステップは、デジタル放送の放送波を通じて配信されるデータを取得しない。このため、本発明に係る受信機の制御方法は、無駄な消費電力が発生することを抑えることができる。
【００４１】
よって、本発明に係る受信機の制御方法は、デジタル放送の受信地域および視聴者の視聴態様を考慮して、消費電力を節約することができるという効果を奏する。
【発明の効果】
【００４２】
本発明に係る受信機は、上記した課題を解決するために、アナログ放送とデジタル放送との異なる放送方式による放送波をそれぞれ受信する受信機であって、上記デジタル放送の放送波を通じて配信されるデータを取得するための取得手段と、上記デジタル放送を受信するためのデジタルチューナによる該デジタル放送の受信実績の有無を示す受信実績情報を記録する記録手段と、上記記録手段によって記録された上記受信実績情報に基づき、上記デジタル放送の受信の有無を判定する判定手段とを備え、上記判定手段が上記デジタル放送の受信が有ると判定した場合、上記取得手段は該デジタル放送の放送波を通じて配信されるデータを取得することを特徴とする。
【００４３】
よって、本発明に係る受信機は、デジタル放送の受信地域および視聴者の視聴態様を考慮して、消費電力を節約することができるという効果を奏する。
【００４４】
本発明に係る受信機の制御方法は、上記した課題を解決するために、アナログ放送とデジタル放送との異なる放送方式による放送波をそれぞれ受信する受信機の制御方法であって、上記デジタル放送の放送波を通じて配信されるデータを取得するための取得ステップと、上記デジタル放送を受信するためのデジタルチューナによる該デジタル放送の受信実績の有無を示す受信実績情報を記録する記録ステップとを含み、上記記録ステップにおいて記録された上記受信実績情報に基づき、デジタル放送の受信の有無を判定する判定ステップと、上記判定ステップにおいて、上記デジタル放送の受信が有ると判定された場合、上記取得ステップでは該デジタル放送の放送波を通じて配信されるデータを取得することを特徴とする。
【００４５】
よって、本発明に係る受信機の制御方法は、デジタル放送の受信地域および視聴者の視聴態様を考慮して、消費電力を節約することができるという効果を奏する。
【図面の簡単な説明】
【００４６】
【図１】本発明の実施形態を示すものであり、データ取得処理に係るデジタルテレビのソフトウェア構成について説明するブロック図である。
【図２】本発明の実施形態を示すものであり、デジタルテレビの要部構成を示すブロック図である。
【図３】本発明の実施形態を示すものであり、入力切替先情報の一例を示す図である。
【図４】本発明の実施形態を示すものであり、デジタルテレビにおけるデータ取得処理の処理フローを示すフローチャートである。
【発明を実施するための形態】
【００４７】
本発明の一実施形態について図１ないし図４に基づいて説明すると以下の通りである。すなわち、本実施の形態に係るデジタルテレビ１は、デジタル放送およびアナログ放送ともに受信できるテレビジョンである。このデジタルテレビ１は、電源ＯＮ状態から電源ＯＦＦ状態に移行する際に、デジタル放送の放送波によって配信されるＥＰＧデータ８４や、当該デジタルテレビ１が有するソフトウェア（例えば、メインプログラム８３）の更新用データ等をダウンロードするように構成されている。なお、本明細書において電源ＯＦＦの状態とは、デジタルテレビ１が稼動しないように電源が切られた状態ではあるが、該デジタルテレビ１のコンセント自体を抜き電源を落とした状態ではなく、待機電流が発生している状態を意味するものとする。
【００４８】
以下において、本実施の形態に係るデジタルテレビ１の要部構成について図２を参照して説明する。図２は、本発明の実施形態を示すものであり、デジタルテレビ１の要部構成を示すブロック図である。
【００４９】
図２に示すように、デジタルテレビ１は、外部入力部６、液晶表示装置７，スピーカ８，アナログ放送用アンテナ９，デジタル放送用アンテナ１０，アナログチューナ１１，ＡＶスイッチ部１２，デジタルチューナ１３，デジタル復調部１４，分離部（ＤＭＵＸ）１５，ビデオデコード／キャプチャ部１６，ビデオセレクタ部１７，映像処理部１８，表示制御部１９，オーディオデコード部２０，オーディオセレクタ部２１，音声出力制御部２２，選局部２３，ＥＰＧ／ＯＳＤ予約処理部２４，リモコン受光部２５，通信制御部２７，不揮発性メモリ２８，ＩＰ放送チューナ２９，およびＣＰＵ３０を備えてなる構成である。
【００５０】
アナログチューナ１１は、アナログ放送用アンテナ９を介して受信する放送信号を選局するものである。アナログチューナ１１は、放送信号の選局を、選局部２３からの選局指示に応じて行う。
【００５１】
ＡＶスイッチ部１２は、アナログチューナ１１によって選局された放送信号から音声信号および映像信号を抽出するものである。ＡＶスイッチ部１２は、抽出した音声信号をオーディオセレクタ部２１に、映像信号をビデオセレクタ部１７に送信する。
【００５２】
デジタルチューナ１３は、デジタル放送用アンテナ１０を介して受信する、特定の放送信号を選局するものである。デジタルチューナ１３は、この放送信号の選局を、選局部２３からの選局指示に応じて行う。
【００５３】
デジタル復調部１４は、選局されたデジタル放送の放送信号を復調するものである。デジタル復調部１４は、デジタルチューナ１３から入力された放送信号を復調して得られたデータを、分離部（ＤＭＵＸ）１５に出力する。
【００５４】
ＩＰ放送チューナ２９は、選局部２３からの選局指示に応じて、後述する通信制御部２７を介して受信するＩＰ放送の放送信号を選局するものである。ＩＰ放送チューナ２９は特定の放送信号を選局し、受信した放送信号を分離部（ＤＭＵＸ）１５に出力する。
【００５５】
分離部（ＤＭＵＸ）１５は、デジタル復調部１４またはＩＰ放送チューナ２９から入力された、多重化された信号を、映像信号および音声信号それぞれに分離するものである。さらにまた分離部（ＤＭＵＸ）１５は、放送信号に含まれるＥＰＧデータ８４等のデジタルデータを抽出するものでもある。分離部（ＤＭＵＸ）１５は、分離した映像信号をビデオデコード／キャプチャ部１６に、音声信号をオーディオデコード部２０に、デジタルデータをＥＰＧ／ＯＳＤ予約処理部２４にそれぞれ送信する。また、分離部（ＤＭＵＸ）１５によって抽出されたデジタルデータ（放送波信号）は、必要に応じてＣＰＵ３０による書き込み制御によって不揮発性メモリ２８に記録される。
【００５６】
ビデオデコード／キャプチャ部１６は、分離部（ＤＭＵＸ）１５によって分離された映像信号をデコードしたり、映像信号に含まれるビデオ情報を静止画としてキャプチャしたりするものである。ビデオデコード／キャプチャ部１６は、デコードした映像信号をビデオセレクタ部１７に出力する。
【００５７】
ビデオセレクタ部１７は、外部入力部６から入力された映像信号、アナログ放送用アンテナ９で受信した映像信号、またはデジタル放送用アンテナ１０で受信した映像信号のうち、いずれの信号を出力するのか選択し、その出力を切り替えるものである。この切り替えは、ＣＰＵ３０からの制御指示に応じて行われる。選択された映像信号は、映像処理部１８に出力される。
【００５８】
映像処理部１８は、ビデオセレクタ部１７から入力された映像信号に対して、例えば、ノイズリダクション、シャープネスの調整、コントラストの調整等の映像処理を行い、液晶表示装置７にて適切な形で表示できる映像データへと変換するものである。映像処理部１８は、映像処理後の映像データを表示制御部１９に出力する。
【００５９】
表示制御部１９は、入力された映像データを、液晶表示装置７に出力して表示させるように制御するものである。なお、表示制御部１９は、上記映像データを、後述するＥＰＧ／ＯＳＤ予約処理部２４によって作成された電子番組表（ＥＰＧ；Electronic Program Guide）、あるいはＯＳＤ（オン・スクリーン・ディスプレイ）表示データと合わせて上記映像データを出力することができる。
【００６０】
オーディオデコード部２０は、分離部（ＤＭＵＸ）１５によって分離された音声信号をデコードするものである。オーディオデコード部２０は、デコードした音声信号をオーディオセレクタ部２１に出力する。
【００６１】
オーディオセレクタ部２１は、外部入力部６から入力された音声信号、アナログ放送用アンテナ９で受信した音声信号、またはデジタル放送用アンテナ１０で受信した音声信号のうちいずれを出力するのか選択し、その出力を切り替えるものである。この切り替えは、ＣＰＵ３０からの制御指示に応じて行われる。選択された音声信号は、音声出力制御部２２に出力される。音声出力制御部２２は、入力された音声信号をスピーカ８から出力できる形式に変換し、該スピーカ８に出力するものである。
【００６２】
ＥＰＧ／ＯＳＤ予約処理部２４は、定期的に更新保存されたＥＰＧデータに基づき電子番組表を作成したり、不揮発性メモリ２８、あるいはＲＯＭまたは揮発性メモリ（フラッシュＩＣなど）に予め保存さているＯＳＤ用画像データに基づきＯＳＤ表示データを生成したりするものである。なお、このＯＳＤ用画像データとは、予め不揮発性メモリ２８、あるいはＲＯＭまたは揮発性メモリ（フラッシュＩＣなど）に用意されたデータであり、設定メニュー画面、ＰＯＰ表示画面、音量ケージ、現在時刻、選局チャンネルなどの各種情報を描画するためのものである。
【００６３】
また、ＥＰＧ／ＯＳＤ予約処理部２４は、ＣＰＵ３０からの指示に応じて、描画する各種情報の液晶表示装置７の表示画面上における表示位置等のレイアウトも決定する。ＥＰＧ／ＯＳＤ予約処理部２４は、この作成した電子番組表や、ＯＳＤ表示データを出力する。なお、ＥＰＧ／ＯＳＤ予約処理部２４から出力されたＯＳＤ表示データは、映像処理部１８から出力される映像データに加算回路によって加えられ、表示制御部１９に出力される。
【００６４】
リモコン受光部２５は、リモートコントローラ５から出力された光信号を受信し、該リモートコントローラ５からの制御指示を受付けるためのものである。受付けた制御指示は、ＣＰＵ３０に送信する。
【００６５】
通信制御部２７は、電話回線、ＬＡＮ、インターネット等のネットワーク網、あるいはＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブル等を介して外部機器との通信を確立させるように制御を行うものである。ただし、この外部機器との接続媒体は、上述したネットワーク網、またはＨＤＭＩケーブルに限定されるものではない。
【００６６】
不揮発性メモリ２８は、書き換え可能な不揮発性のメモリであって、例えば、フラッシュメモリ等によって実現できる。この不揮発性メモリ２８には、特に図示しないがＣＰＵ３０が読み出し、各種制御を実行するためのプログラムが記憶されている。また、不揮発性メモリ２８には、放送波を介して受信したＥＰＧデータ８４も記憶されている。さらには、上述したようにＯＳＤ表示を行う際にＥＰＧ／ＯＳＤ予約処理部２４が読み出す、ＯＳＤ用画像データ（不図示）等も記憶されている。
【００６７】
ＣＰＵ３０は、デジタルテレビ１が備える各部の各種制御を実行するためのものである。ＣＰＵ３０は、不揮発性メモリ２８に記録したメインプログラムを読み出し、実行することで各種機能を実現することができる。
【００６８】
（デジタルテレビのソフトウェア構成）
次に図１を参照して、デジタル放送の放送波を介して、デジタルデータを取得するデータ取得処理に係るデジタルテレビ１のソフトウェア構成について説明する。図１は、本発明の実施形態を示すものであり、データ取得処理に係るデジタルテレビ１のソフトウェア構成について説明するブロック図である。なお、本実施形態では、説明の便宜上、このデータ取得処理で取得するデジタルデータを、少なくともＥＰＧデータ８４またはメインプログラム８３の更新用データのいずれか一方とする。ただし、データ取得処理により取得できるデジタルデータはこれらに限定されるものではなく、デジタル放送の放送波を介して受信できるデジタルデータであればよい。
【００６９】
まず、不揮発性メモリ２８に記録される情報について説明する。
【００７０】
図１に示すように、デジタルテレビ１は、不揮発性メモリ２８に、選局履歴情報８１、入力切替先情報８２、メインプログラム８３、およびＥＰＧデータ８４が記録されている。
【００７１】
選局履歴情報８１は、デジタルチューナ１３により視聴者が選局したチャンネルの履歴情報である（選局履歴）。具体的には、デジタルチューナ１３により選局されたチャンネルと選局された時間が記録される。さらに、この選局履歴情報８１にはデジタルチューナ１３によりチャンネルサーチ（チャンネルスキャン）が実行済みか否かを示すチャンネルリストに関する情報（調査結果情報）も含まれている。すなわち、上記チャンネルサーチとは、デジタルテレビ１が、地上デジタル放送を受信する際、全てのチャンネルを順次選局して、受信できるチャンネルを調査することである。受信できるチャンネルが検出された場合、デジタルテレビ１は、そのチャンネルの情報をチャンネルリストとして登録する。
【００７２】
なお、選局履歴情報８１として記録される情報の内容はこれに限定されるものではなく、選局されたチャンネル数とチャンネルサーチが実行済みか否かに関する情報のみ記録されていてもよい。また、デジタルテレビ１は、選択されたチャンネルについて最新情報のみを記録するように構成してもよいし、最新情報を含む複数の情報を記録するように構成してもよい。
【００７３】
入力切替先情報８２は、データの入力先としてチューナ、あるいは外部入力部６のいずれが選択されたのか示す情報である。データの入力先としてチューナが選択された場合は、その選択されたチューナがアナログチューナ１１であるのかデジタルチューナ１３であるのかを示す情報と、選局されたチャンネルとが対応づけられて記録される。一方、このデータの入力先として外部入力部６が選択された場合、その選択された外部入力部６とその外部入力部６の種類とが対応づけられて記録される。なお、ここでの外部入力部６の種類とは、例えばＤ端子、色差端子等である。
【００７４】
また、本実施の形態に係る入力切替先情報８２は、図３に示すように選択されたチューナの情報（チューナ情報９１）と、選択された外部入力部６の情報（外部入力情報９２）とが個別に管理されるように記録されている。そして、現在、デジタルテレビ１にて選択されている入力先がチューナであるのか外部入力部６であるのか選択情報９３が付されて記録されている。このように選択情報９３が付されているため、本実施の形態に係るデジタルテレビ１では、電源を落とし、再起動させた場合、この入力切替先情報８２を参照して、電源を落とす直前の状態に復帰させることができる。
【００７５】
メインプログラム８３は、デジタルテレビ１の各部の各種制御を行うためのプログラムである。ＥＰＧデータ８４は、デジタル放送により配信している番組の配信時間等を示す電子番組表のデータである。
【００７６】
なお、本実施の形態に係るデジタルテレビ１では、不揮発性メモリ２８に選局履歴情報８１、入力切替先情報８２、メインプログラム８３、およびＥＰＧデータ８４を記憶する構成であるが、これらの情報は、物理的に異なる別々の不揮発性メモリに記憶されてもよい。
【００７７】
次に、デジタルテレビ１が備える機能ブロックについて説明する。デジタルテレビ１は、機能ブロックとして、検知部７１、記録部７２、電源状態判定部７３、データ取得判定部７４、電源管理部７５、およびデータ取得・更新指示部７６を備えてなる構成である。これら、機能ブロックは、ＣＰＵ３０が不揮発性メモリ２８からメインプログラム８３を読み出し、実行することで実現できる。
【００７８】
検知部７１は、リモコン受光部２５で受信した、リモートコントローラ５から送信された指示を検知するものである。例えば、検知部７１は、リモートコントローラ５から送信された指示として、選局指示、入力切替指示、あるいは当該デジタルテレビ１の電源ＯＦＦの指示、あるいは当該デジタルテレビ１の再起動の指示等の受信を検知する。
【００７９】
なお、ここで選局指示とは、デジタル放送またはアナログ放送において視聴者が視聴を所望するチャンネルを指示する情報である。また、入力切替指示とは、放送波の受信をデジタルチューナ１３からアナログチューナ１１に切り替える、アナログチューナ１１からデジタルチューナ１３に切り替える、データの入力を外部入力部６からの入力に切り替える等、入力先の切替を指示するものである。また、デジタルテレビ１の電源ＯＦＦの指示、あるいは当該デジタルテレビ１の再起動の指示とは、テレビ放送等の表示を停止させたり、停止しているテレビ放送等の表示を再開させたりする指示である。
【００８０】
検知部７１は、例えば、デジタル放送の選局指示、または入力切替指示の受信を検知した場合、この受信した指示を選局部２３に通知し、視聴者が所望するチャンネルを選局するように制御する。あるいは、データの入力先を外部入力部６に切り替える旨の指示を受信した場合、入力が所望される外部入力部６にて入力処理を行うことができるように、指示された外部入力部６が有効となるように制御する。
【００８１】
さらにまた、検知部７１は、検知した選局指示および入力切替指示を記録部７２にも送信する。そして、検知部７１は、記録部７２に対して、検知した選局指示および入力切替指示を不揮発性メモリ２８に選局履歴情報８１および入力切替先情報８２として記録するように指示する。
【００８２】
さらにまた、検知部７１は、電源ＯＦＦ指示、再起動指示等、デジタルテレビ１の電源の状態の変更に関する指示を検知した場合、検知した結果を電源状態判定部７３に送信する。
【００８３】
記録部７２は、検知部７１からの指示に応じて、受信した該検知部７１の検知結果を不揮発性メモリ２８に記録するものである。検知部７１の検知結果が入力切替指示の場合、この指示により切り替えた入力先の情報を入力切替先情報８２として記録する。さらに、検知部７１の検知結果が、データの入力先としてデジタルチューナへの切替を指示するものである場合、視聴者により視聴が所望されるチャンネルの情報を選局履歴情報８１として記録する。
【００８４】
電源状態判定部７３は、検知部７１で検知した電源の状態の変更に関する指示内容から、指示された当該デジタルテレビ１の電源の状態の変更がＯＮ状態への変更、またはＯＦＦ状態への変更のいずれであるのか判定するものである。電源状態判定部７３は、指示された当該デジタルテレビ１の電源の状態の変更がＯＦＦ状態への変更である場合、この判定結果をデータ取得判定部７４に通知する。
【００８５】
データ取得判定部７４は、電源状態判定部７３から受信した判定結果に応じて、不揮発性メモリ２８に記録されている選局履歴情報８１および入力切替先情報８２を参照して、放送波により配信されるメインプログラム８３の更新用データまたはＥＰＧデータ８４等のデジタルデータを取得するか否か判定するものである。データ取得判定部７４は、デジタルデータを取得すると判定した場合、その旨をデータ取得・更新指示部７６に通知する。一方、デジタルデータを取得しないと判定した場合は、電源管理部７５に電源ＯＦＦ処理の指示を出す。
【００８６】
電源管理部７５は、デジタルテレビ１が備える各部に対する電力供給の有無を管理し、これら各部の稼動停止または開始を制御するものである。データ取得判定部７４またはデータ取得・更新指示部７６からの電源ＯＦＦ処理指示に応じて、デジタルテレビ１が備える各部に対する電力供給を停止し、デジタルテレビ１を電源ＯＦＦ状態とする。なお、図１では、説明の便宜上、電源管理部７５からの制御信号の流れを示す矢印は、選局部２３、デジタルチューナ１３、デジタル復調部１４、および分離部１５だけとなっているが、電源管理部７５は、当然、これら以外への各部への電力供給についても管理する。
【００８７】
データ取得・更新指示部７６は、データ取得判定部７４から、データを取得する旨の判定結果の通知を受信すると、分離部１５により抽出されたデジタルデータ（例えばメインプログラム８３またはＥＰＧデータ８４）を取得して、更新を行う。そして、デジタルデータの取得および更新が完了すると電源管理部７５に対してデジタルテレビ１が備える各部に対する電力供給を停止するように指示する。
【００８８】
（データ取得処理）
次に、上記した構成を有するデジタルテレビ１におけるデータ取得処理について、図４を参照して説明する。図４は本発明の実施形態を示すものであり、デジタルテレビ１におけるデータ取得処理の処理フローを示すフローチャートである。
【００８９】
まず、リモートコントローラ５から送信された選局指示および入力切替指示をリモコン受光部２５にて受信すると、検知部７１が、この選局指示および入力切替指示の受信を検知する（ステップＳ１１、これ以降Ｓ１１と称する）。検知部７１は、検知した選局指示および入力切替指示の情報を記録部７２に出力する。
【００９０】
記録部７２は、検知部７１から受け取った上記選局指示および入力切替指示のうち、データの入力先を選択する情報を入力切替先情報８２として記録する（Ｓ１２）。また、記録部７２は、上記選局指示がデジタルチューナ１３を入力先として指示するものである場合、入力先として指示されたデジタルチューナ１３のチャンネル番号とその指示された日時を選局履歴情報８１として記録する。なお、デジタルテレビ１では、既に、チャンネルサーチが、当該デジタルテレビ１の設置時に完了しており、このチャンネルサーチ実行済みを示すチャンネルリストが選局履歴情報８１に含まれているものとする。
【００９１】
本実施の形態に係るデジタルテレビ１では、このように選局履歴情報８１と入力切替先情報８２とを不揮発性メモリ２８に記録することにより、視聴者により選択されているデータの入力先と、デジタルチューナ１３での選局履歴と、受信可能なチャンネルを示すチャンネルリストとを把握することができる。
【００９２】
次に、検知部７１がデジタルテレビ１の電源の状態の変更に関する指示の受信を検知した場合、その旨を電源状態判定部７３に送信する。電源状態判定部７３は、検知部７１で検知した電源の状態の変更に関する指示内容から、指示された当該デジタルテレビ１の電源の状態の変更がＯＮ状態への変更、またはＯＦＦ状態への変更のいずれであるのか判定する（Ｓ１３）。電源状態判定部７３は、指示された当該デジタルテレビ１の電源の状態の変更がＯＦＦ状態への変更である場合、すなわち、電源ＯＦＦ指示であると判定した場合（Ｓ１３において「ＹＥＳ」）、この判定結果をデータ取得判定部７４に通知する。
【００９３】
データ取得判定部７４は、電源状態判定部７３から受信した判定結果に応じて、不揮発性メモリ２８に記録されている入力切替先情報８２を参照し、デジタルテレビ１において選択されているデータの入力先がデジタルチューナ１３であるか否か判定する（Ｓ１４）。データ取得判定部７４は、選択されているデータの入力先がデジタルチューナ１３であると判定した場合（Ｓ１４において「ＹＥＳ」）、データ取得・更新指示部７６に対して、少なくともメインプログラム８３の更新用データおよびＥＰＧデータ８４のいずれか一方の更新を指示する。
【００９４】
このデータ取得判定部７４からの指示に応じて、データ取得・更新指示部７６は、分離部１５から抽出された、例えば、ＥＰＧデータ８４またはメインプログラム８３の更新用データ等を受信し、既に記録済みのＥＰＧデータ８４やメインプログラム８３を更新する。
【００９５】
一方、ステップＳ１４の判定が「ＮＯ」の場合、選局履歴情報８１を参照して、デジタルチューナ１３によりチャンネルサーチが実行済みであり、かつデジタルチューナ１３により特定のチャンネルを選局した履歴情報があるか否か判定する（Ｓ１５）。
【００９６】
ここで、デジタルチューナ１３によりチャンネルサーチが実行済みであり、かつデジタルチューナ１３により特定のチャンネルを選局した履歴情報があると判定される場合（Ｓ１５において「ＹＥＳ」）、データ取得判定部７４は、データ取得・更新指示部７６にメインプログラム８３の更新用データまたはＥＰＧデータ８４を取得し、更新するように指示する。
【００９７】
このデータ取得判定部７４からの指示に応じて、データ取得・更新指示部７６は、分離部１５から抽出された例えば、ＥＰＧデータ８４またはメインプログラム８３の更新用データ等を受信し、既に記録済みのＥＰＧデータ８４やメインプログラム８３を更新する。そして、ステップＳ１６のデータ取得・更新が完了した場合、データ取得・更新指示部７６は、電源管理部７５にデジタルテレビ１が備える各部に対する電力供給を停止し、電源ＯＦＦ処理を実行するように指示する。
【００９８】
一方、ステップ１５の判定が「ＮＯ」の場合、データ取得判定部７４は、電源管理部７５にデジタルテレビ１が備える各部に対する電力供給を停止し、電源ＯＦＦ処理を実行するように指示する。
【００９９】
データ取得判定部７４あるいはデータ取得・更新指示部７６からの電源ＯＦＦ処理の実行指示を受付けると、電源管理部７５は、デジタルテレビ１が備える各部への電力供給を停止させ、デジタルテレビ１を電源ＯＦＦ状態とする（Ｓ１７）。
【０１００】
以上のように、本実施の形態に係るデジタルテレビ１は、電源ＯＦＦの指示を受付けた際に、データの入力先としてデジタルチューナ１３が選択されているとき、あるいはデジタルチューナ１３でチャンネルサーチを実行済み、かつデジタルチューナ１３での選局履歴があるときにデータ取得処理を実行する構成である。
【０１０１】
ここで、データの入力先としてデジタルチューナ１３が選択されているときとは、デジタルチューナ１３によりデジタル放送の放送波を受信し、テレビ番組を視聴していたということである。また、デジタルチューナ１３でチャンネルサーチを実行済み、かつデジタルチューナ１３での選局履歴があるときというのは、少なくとも過去にデジタルチューナ１３を選択し、デジタル放送の放送波を受信してテレビ番組を視聴したことがあるということである。つまり、当該デジタルテレビ１が設置されている地点において受信可能なチャンネルがあり、さらに、当該デジタルテレビ１を利用する視聴者がデジタル放送の受信を所望したことがあるということである。
【０１０２】
このように、本実施の形態に係るデジタルテレビ１は、電源ＯＦＦを指示する際に、視聴者がデジタル放送を視聴することがある場合に限り放送波により配信されるＥＰＧデータ８４またはメインプログラム８３の更新用データを取得し、更新することができる。逆に、視聴者がデジタル放送を視聴しない場合は、このデータの取得および更新は実行しない。このため、視聴者がデジタル放送を視聴しない場合は、ＥＰＧデータ８４やメインプログラム８３の更新用データを取得する処理を行わないため、この処理にかかる電力を省くことができる。
【０１０３】
なお、上記では、リモートコントローラ５から、上記選局指示、上記入力切替指示、あるいは当該デジタルテレビ１の電源ＯＦＦ指示等を受信する構成であったがこれに限定されるものではない。例えば、これらの指示内容は、デジタルテレビ１に備えられた操作部（不図示）を介して視聴者から直接入力される構成であってもよい。
【０１０４】
また、本実施の形態に係るデジタルテレビ１では、電源ＯＦＦ指示の受信後すぐにデジタルデータの取得および更新の要否をデータ取得判定部７４が判定する構成であった。そして、データ取得判定部７４がデータを取得すると判定した場合、データ取得・更新指示部７６がデジタルデータの取得および更新を行い、逆にデジタルデータを取得しないと判定した場合、直ちにデジタルテレビ１の電源をＯＦＦする構成であった。しかしながら、デジタルデータの取得タイミングはこれに限定されるものではなく、所定時間、電源ＯＦＦされた状態が続いた後、デジタルデータの取得および更新の要否をデータ取得判定部７４が判定する構成としてもよい。そして、データ取得判定部７４がデジタルデータを取得すると判定した場合、データ取得・更新指示部７６が、電源管理部７５にこのデジタルデータの取得および更新に関連する部材のみに電力を供給するように指示し、データの取得及び更新を行う構成としてもよい。
【０１０５】
このように、電源ＯＦＦされた状態が所定時間続いた後にデータの取得および更新の要否をデータ取得判定部７４が判定する構成とした場合、確実にユーザがデジタルテレビ１を視聴していないタイミングで、デジタルデータの取得および更新を行うことができる点でさらに有利である。
【０１０６】
また、本実施の形態に係るデジタルテレビ１では、デジタル放送の視聴の有無、すなわち当該デジタルテレビ１におけるデジタル放送の放送波の受信の有無を、電源ＯＦＦの指示受付け時にデジタルチューナ１３が選択されているか否か、あるいは、デジタルチューナ１３によるチャンネルサーチの実行の有無と選局履歴とにより判断する構成であった。しかしながら、視聴者によるデジタル放送の視聴の有無の判断基準はこれに限定されるものではない。
【０１０７】
例えば、Ｂ−ＣＡＳ（登録商標）カードまたはＣＩカード等、デジタル放送の視聴制限を行うためのＩＣカードが、当該デジタルテレビ１に挿入されているか否かによって判断する構成としてもよい。すなわち、デジタルテレビ１においてＢ−ＣＡＳカードが装着されていない場合、このデジタルテレビ１ではデジタル放送を視聴できない。このため、Ｂ−ＣＡＳカードが装着されていないと判定された場合は、ＥＰＧデータ８４やメインプログラム８３の更新用データ等のデジタルデータの取得および更新を実行しないように構成されていてもよい。
【０１０８】
この場合、デジタルテレビ１は、図１に示す構成において、機能ブロックとして、上記ＩＣカードの装着の有無を検知するＩＣカード検知部をさらに備える。そして、このＩＣカード検知部の検知結果をデータ取得判定部７４が受け取り、デジタルデータの取得および更新を実行するか否か判定するように構成される。
【０１０９】
ただし、Ｂ−ＣＡＳカードが装着されている場合であっても、視聴者がアナログ放送のみ視聴することも想定される。このため、上記したように、デジタルチューナ１３によるチャンネルサーチの実行と選局履歴とに基づき、視聴者がデジタル放送を視聴するか否か判定する構成の方が、確度よくアナログ放送のみを視聴する視聴者を選別することができる点で有利である。
【０１１０】
また、本実施の形態に係るデジタルテレビ１では、データ取得判定部７４が、電源ＯＦＦ指示があった際に、データの入力先がデジタルチューナか否か確認する構成である。そして、データ入力先がデジタルチューナで無い場合には、選局履歴情報８１を参照して、デジタルチューナ１３でチャンネルサーチを実行済みか否か、デジタルチューナ１３での選局履歴があるか否かを判定する構成であった。
【０１１１】
そして、データ取得判定部７４は、デジタルチューナ１３でチャンネルサーチを実行済み、かつデジタルチューナ１３での選局履歴がある場合に、データ取得・更新指示部７６に対して、上記メインプログラム８３の更新用データおよび上記ＥＰＧデータ８４の取得を指示する構成であった。
【０１１２】
ここで、上記選局履歴情報８１に対して有効期限を設定し、選局履歴情報８１に含まれるデジタルチューナ１３での選局履歴が一定期間更新されていない場合には、データ取得判定部７４がデータ取得・更新指示部７６に対して、上記メインプログラム８３の更新用データおよび上記ＥＰＧデータ８４の取得を指示しないようにデジタルテレビ１を構成してもよい。
【０１１３】
例えば、デジタル放送の受信可能な地域にデジタルテレビ１が設置され、デジタルチューナ１３による選局履歴がある場合であっても、引越し等によりデジタルテレビ１の設置環境が変わったり、放送局の事情等によりデジタル放送が停止されたりしてデジタル放送の受信ができなくなる場合がある。
【０１１４】
そこで、このようなデジタルテレビ１を取り巻く環境の変化に応じてデジタル放送を受信できなくなった場合、つまり、選局履歴が一定期間更新されていない場合、データ取得・更新指示部７６に対して、上記メインプログラム８３の更新用データおよび上記ＥＰＧデータ８４の取得を指示しないように構成する。このように構成することで、デジタル放送を受信できなくなったにも関わらず、ＥＰＧデータ８４やメインプログラム８３の更新用データを取得する処理を実行してしまうことを防ぐことができる。
【０１１５】
また、デジタルテレビ１では、図４のステップＳ１４において、データ取得判定部７４が、電源ＯＦＦ時におけるデータの入力先がデジタルチューナ１３であるか否か判定し、デジタルチューナ１３でない場合（Ｓ１４においてＮＯ）、ステップＳ１５にて、デジタルチューナ１３によりチャンネルサーチが実行済みか否か、該デジタルチューナ１３での選局履歴があるか否かに応じて、デジタル放送の放送波の受信の有無を判定する構成であった。
【０１１６】
しかしながら、ステップＳ１４の判定だけで、デジタル放送の放送波の受信の有無を判定する構成としてもよい。あるいは、ステップＳ１４を行わず、ステップＳ１５の判定だけで、デジタル放送の放送波の受信の有無を判定する構成としてもよい。
【０１１７】
ただし、ステップＳ１４の判定だけでデジタル放送の放送波の受信の有無を判定する構成の場合、デジタルテレビ１の電源ＯＦＦ時におけるユーザの使用態様だけで、当該デジタルテレビ１にてデジタル放送の放送波を受信しているか否か判定することとなる。このため、電源ＯＦＦ指示を受信する以前において、デジタル放送の放送波を受信していたが、電源ＯＦＦ時ではアナログ放送の放送波を受信している使用態様の場合、デジタルテレビ１においてデジタル放送の放送波を受信する場合があるにも関わらず、デジタル放送の放送波を受信しないと判断されてしまう。
【０１１８】
一方、ステップＳ１５の判定だけで、デジタル放送の放送波の受信の有無を判定する構成の場合、デジタルテレビ１の電源ＯＦＦ以前の、ユーザの過去の使用態様により、当該デジタルテレビ１にてデジタル放送の放送波を受信したか否か判定することとなる。このため、以前はデジタル放送の放送波を受信していたが、デジタルテレビ１の設置環境の変化や、放送局の事情等によりデジタル放送の受信ができなくなった場合など、現在ではデジタル放送の放送波を受信しないにも関わらず、デジタル放送の放送波を受信すると判断してしまう。
【０１１９】
したがって、デジタルテレビ１におけるデジタル放送の放送波の受信の有無は、本実施形態のようにステップＳ１４およびＳ１５を組み合わせて判定する構成の方が、確度よく判定することができるという点で有利である。
【０１２０】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１２１】
本発明は、デジタル放送を受信しない場合は、デジタル放送の放送波により送信されるＥＰＧデータや、該受信機のプログラムのバックアップデータ等のデジタルデータの取得処理の実行を停止する構成である。このため、デジタル放送とアナログ放送との異なる放送方式を受信することができ、デジタルデータを取得するように構成された機器全般に適用することができる。
【符号の説明】
【０１２２】
１  デジタルテレビ（受信機）
１１  アナログチューナ
１３  デジタルチューナ
１４  デジタル復調部
１５  分離部
２３  選局部
２４  ＥＰＧ／ＯＳＤ予約処理部
２８  不揮発性メモリ
３０  ＣＰＵ
７１  検知部（指示受信手段）
７２  記録部（記録手段）
７３  電源状態判定部
７４  データ取得判定部（判定手段）
７５  電源管理部
７６  データ取得・更新指示部（取得手段）
８１  選局履歴情報（受信実績情報・履歴情報・調査結果情報）
８２  入力切替先情報（受信実績情報・チューナ情報）
８３  メインプログラム
８４  ＥＰＧデータ（データ）
【図１】
2010252173.tif 000003
【図２】
2010252173.tif 000004
【図３】
2010252173.tif 000005
【図４】
2010252173.tif 000006